(57)【特許請求の範囲】
【請求項１】
一対の側板と、前記一対の側板の間に架け渡して設けられる複数の架設板とを有する書架において、
前記複数の架設板は、一方に開口する溝が長手方向に形成された受金具を、前記側板に面する端部に固定された受金具付き架設板を含み、
前記一対の側板は、前記受金具付き架設板の取付位置に、前記受金具の前記溝に係合する係合部材が固定され、
前記受金具付き架設板は、厚さが前記受金具の幅寸法と同一である板状の芯材の両面に薄板を固定した合成材からなり、前記薄板が前記芯材の前記側板に面する端部から側方へそれぞれ突出しており、前記受金具の前記幅寸法と同一幅に設けられて前記受金具が固定される固定面を前記芯材の端部により構成し、前記固定面の長辺に対して垂直に設けられた垂直面を前記薄板により構成し、
前記受金具は、前記固定面の端と前記垂直面とに位置合わせされている
ことを特徴とする書架。
【請求項２】
請求項１に記載する書架において、
前記受金具付き架設板は、前記一対の側板に面する端部に対して直交する端部に、前記薄板の間に形成された隙間を塞ぐように取り付けられる装飾板を有する
ことを特徴とする書架。
【請求項３】
請求項２に記載する書架において、
前記受金具付き架設板は、前記固定面の端で前記装飾板より内側の位置に固定される補強ブロックを有し、
前記受金具は、前記補強ブロックに当接した状態で前記固定面に固定されている
ことを特徴とする書架。
【発明の詳細な説明】
【技術分野】
【０００１】
本発明は、底板と天板と棚板とを一対の側板の間に配置する書架に関する。
【背景技術】
【０００２】
書架などの箱物は、完成させた状態では占有スペースが大きくなり、輸送コストが高くなる。輸送コストを下げるために、通常、箱物は部品に分けられて現場へ輸送され、組み立てられる。
【０００３】
図１７は、従来の箱物１０１を示す外観斜視図である。図１８は、図１７の要部分解斜視図である。
例えば、図１７に示す箱物１０１は、底板１０２と一対の側板１０３，１０４と前板１０５と後板１０６と蓋１１０により外観が構成されている。前板１０５と後板１０６と蓋１１０は、一対の側板１０３，１０４に着脱可能に取り付けられている。図１８に示すように、一対の側板１０３，１０４は、蝶番１０７を介して底板１０２に固定されている。後板１０６は、一対の側板１０３，１０４に当接する当接面１０６ａ，１０６ｂに受金具１０９がねじ止めされている。一対の側板１０３，１０４の内壁には、受金具１０９に対応する位置に軸１０８が固定されている。後板１０６は、底板１０２に対して垂直に立設された一対の側板１０３，１０４に対して、受金具１０９の溝１０９ａに軸１０８をそれぞれ係合させることにより固定される。後板１０６は、一対の側板１０３，１０４との間に隙間ができないように、当接面１０６ａ，１０６ｂに切り欠いて形成した切欠溝１０６ｃに受金具１０９を固定している。切欠溝１０６ｃは、受金具１０９より大きく設けられ、箱物１０１の内側面を形成する面側に開口しており、箱物１０１の組立後に受金具１０９が外側から見えないようになっている。尚、前板１０５は、後板１０６と同様に形成されているため、説明を省略する。
【０００４】
このような箱物１０１は、前板１０５と後板１０６と蓋１１０を取り外した状態で、一対の側板１０３，１０４を底板１０２側へ倒して底板１０２に重ねるように折り畳めるので、輸送時の占有スペースを小さくして輸送コストを安価にできる。そして、現場においては、一対の側板１０３，１０４を底板１０２に対して回動させ、前板１０５と後板１０６の受金具１０９に側板１０３，１０４の軸１０８を係合させれば、工具を用いずに箱物１０１の本体を完成させることができる（例えば特許文献１参照。）。
【先行技術文献】
【特許文献】
【０００５】
【特許文献１】特開２００２−２８２３１２号公報
【発明の概要】
【発明が解決しようとする課題】
【０００６】
しかしながら、従来の箱物１０１は、製造者が受金具１０９の幅寸法及び長手方向寸法より大きく切欠溝１０６ｃを形成し、その切欠溝１０６ｃの任意の位置に受金具１０９をねじ止めしていた。受金具１０９の固定位置により前板１０５及び後板１０６と一対の側板１０３，１０４と底板１０２の位置関係が決まるため、受金具１０９の固定位置によっては、前板１０５及び後板１０６と一対の側板１０３，１０４と底板１０２との間に隙間ができることがあった。特に、近年、箱物は、コストダウン等の目的で国内のみならず海外でも部品を製造され、部品製造従事者が多い。よって、受金具１０９の固定位置を統一することは、製品品質を安定させる上でとても重要である。とりわけ、箱物が書架である場合、受金具１０９の固定位置が統一されていないと組立後のバランスが不安定になり、本などを収納した場合に傾く等の問題が生じる。
【０００７】
本発明は、上記問題点を解決するためになされたものであり、受金具の固定位置を統一して部品の位置合わせを容易にできる書架を提供することを目的とする。
【課題を解決するための手段】
【０００８】
本発明に係る書架は、次のような構成を有している。
【０００９】
（１）一対の側板と、前記一対の側板の間に架け渡して設けられる複数の架設板とを有する書架において、前記複数の架設板は、一方に開口する溝が長手方向に形成された受金具を、前記側板に面する端部に固定された受金具付き架設板を含み、前記一対の側板は、前記受金具付き架設板の取付位置に、前記受金具の前記溝に係合する係合部材が固定され、前記受金具付き架設板は、厚さが前記受金具の幅寸法と同一である板状の芯材の両面に薄板を固定した合成材からなり、前記薄板が前記芯材の前記側板に面する端部から側方へそれぞれ突出しており、前記受金具の前記幅寸法と同一幅に設けられて前記受金具が固定される固定面を前記芯材の端部により構成し、前記固定面の長辺に対して垂直に設けられた垂直面を前記薄板により構成し、前記受金具は、前記固定面の端と前記垂直面とに位置合わせされている。
【００１０】
（２）（１）に記載の発明において、前記受金具付き架設板は、前記一対の側板に面する端部に対して直交する端部に、前記薄板の間に形成された隙間を塞ぐように取り付けられる装飾板を有する。
【００１１】
（３）（２）に記載の発明において、前記受金具付き架設板は、前記固定面の端で前記装飾板より内側の位置に固定される補強ブロックを有し、前記受金具は、前記補強ブロックに当接した状態で前記固定面に固定されている。
【発明の効果】
【００１２】
上記構成の書架は、受金具付き架設板の一対の側板に面する端部に、受金具の幅寸法と同一幅に設けられて受金具が固定される固定面と、固定面の長辺に対して垂直に設けられた垂直面とを有する。その固定面の端と垂直面とに受金具を位置合わせして受金具付き架設板に固定することにより、受金具は、受金具付き架設板に対して一義的に位置決めされる。よって、受金具付き架設板の固定面の端と垂直面とに受金具を位置合わせして受金具付き架設板に固定すれば、誰でも受金具付き架設板の同じ位置に受金具を固定することができ、受金具の固定位置を統一できる。また、受金具の固定位置が統一され、係合部材と受金具との位置関係にずれが生じにくいので、一対の側板と受金具付き架設板との位置合わせを行いやすい。
【００１３】
上記構成の書架は、厚さが受金具の幅寸法と同一である板状の芯材の両面に薄板を固定した合成材により、受金具付き架設板を構成している。受金具付き架設板は、薄板が芯材の側面に面する端部から側方へそれぞれ突出しており、芯材の端部により固定面を構成し、薄板により垂直面を構成している。これにより、垂直面の間隔が芯材の厚さにより受金具の幅に安定するので、受金具の長手方向両端部を薄板に当接させると共に受金具の長手方向端部に対して直交する端部を固定面の端に位置合わせすることにより、受金具を受金具付き架設板に対してより正確に位置決めして固定することができる。
【００１４】
上記構成の書架は、金具付き架設板の一対の側板に面する端部に対して直交する端部に、薄板の間に形成された隙間を塞ぐように装飾板を取り付けているので、受金具付き架設板を一対の側板に固定した場合に、受金具が薄板と装飾板に隠されて外部から見えない。
【００１５】
上記構成の書架は、固定面の端で装飾板より内側の位置に固定した補強ブロックに、受金具を当接させて、固定面に固定することにより、係合部材を受金具の溝に係合させて受金具付き架設板を一対の側板に取り付ける場合に発生する力を補強ブロックで受けるようにしたので、係合部材を受金具に係合させる場合に発生する力で装飾板が破壊されることを防止できる。
【図面の簡単な説明】
【００１６】
【図１】本発明の実施形態に係る書架の外観斜視図である。
【図２】書架の正面図である。
【図３】図２のＡＡ断面図である。
【図４】図２のＢＢ断面図である。
【図５】背板の端部を拡大した部分断面図である。
【図６】天板の端部を拡大した部分断面図である。
【図７】図２のＣＣ断面図であり、図中点線は天板、棚板、底板、基台の位置を示す。
【図８】一対の側板の外観斜視図である。
【図９】図８のＤ部拡大図である。
【図１０】受金具とショルダーねじの概略構成図である。
【図１１】書架の組立説明図であって、基台を一対の側板に取り付ける方法を示す。
【図１２】書架の組立説明図であって、基台を一対の側板に取り付けた後の状態を示す。
【図１３】書架の組立説明図であって、底板と天板を一対の側板に取り付ける方法を示す。
【図１４】書架の組立説明図であって、背板を一対の側板に取り付ける方法を示す。
【図１５】書架の組立説明図であって、棚板を一対の側板に取り付ける方法を示す。
【図１６】書架ユニットの一例を示す図である。
【図１７】従来の箱物を示す外観斜視図である。
【図１８】図１７の要部分解斜視図である。
【発明を実施するための形態】
【００１７】
以下に、本発明に係る書架の一実施形態について、図面を参照しながら説明する。
【００１８】
＜書架の全体構成＞
図１は、本発明の実施形態に係る書架１の外観斜視図である。図２は、書架１の正面図である。尚、以下の説明において、書架１に本等を収納する正面間口を「前」、正面間口と対向する面を「後ろ」、底板５側を「下」、天板６側を「上」、正面間口から書架１を見て左側を「左」、正面間口から書架１を見て右側を「右」ということにする。
図１及び図２に示す書架１は、図書館等に設置され、本や用紙それらに類似する保管物を保管するものである。書架１は、一対の側板２，３の間に架設板（本実施形態では、基台４、底板５、天板６、背板７、棚板８）を架け渡して、組み立てられている。書架１は、一対の側板２，３と底板５との間に形成される隙間に基台４が配置され、基台４が底板５を介して書架１にかかる荷重を受けることにより、底板５や一対の側板２，３等の変形を防いでいる。
【００１９】
図２に示すように、書架１は、基台４と天板６と背板７が受金具１２とショルダーねじ（係合部材の一例）１４を用いて一対の側板２，３に着脱自在に取り付けられ、底板５が基台４と背板７との間に挟み込まれて固定されている。そして、棚板８は、一対の側板２，３の任意の高さに着脱自在に取り付けられるようになっている。
【００２０】
＜受金具とショルダーねじの概略構成＞
先ず、部品を連結する受金具１２とショルダーねじ１４の概略構成を説明する。図１０は、受金具１２とショルダーねじ１４の概略構成図である。
金属製のショルダーねじ１４は、頭部１４ａと軸部１４ｂと雄ねじ１４ｃと鍔部１４ｄとを一体に設けたものである。ショルダーねじ１４は、雄ねじ１４ｃのねじ込み量が鍔部１４ｄにより規制され、頭部１４ａの突出量を均一にしている。受金具１２は、コの字型に形成され、両端部１２ｂ，１２ｃが外向きに折り曲げられている。受金具１２は、両端部１２ｂ，１２ｃに形成された挿通孔１２ｅ，１２ｆに固定ねじ１３（図４参照）が挿通され、その固定ねじ１３により基台４や天板６、背板７に固定される。受金具１２は、溝１２ａがショルダーねじ１４の頭部１４ａの直径より小さい溝幅で一方に開口するように長手方向に形成され、その開口部分に挿入部１２ｄがショルダーねじ１４の頭部１４ａより大きく設けられている。ショルダーねじ１４は、頭部１４ａが挿入部１２ｄから溝１２ａの内側へ挿入されて溝１２ａの両端に引っ掛けられ、受金具１２に連結される。
【００２１】
＜各部構成＞
図３は、図２のＡＡ断面図である。図４は、図２のＢＢ断面図である。
図３及び図４に示すように、基台４と底板５と天板６と背板７と棚板８は、板状の芯材３１に薄板３２を接着剤等で固定した合成材からなり、木目の印刷された装飾板３３が組立後に外から見える面に貼られている。
【００２２】
基台４は、前板２１と後板２２とを一対の梁板２３，２４の両端に固定して箱状に組み立てられ、書架１の荷重に耐え得る強度が確保されている。前板２１と後板２２は、一対の側板２，３に面する端部に、受金具１２を収納するための収納溝２１ａ，２１ｂ，２２ａ，２２ｂがそれぞれ形成されている。基台４は、受金具１２が溝１２ａを下方に開口させるように固定され、一対の側板２，３の間で下方へスライドさせて一対の側板２，３に連結されるようになっている。
【００２３】
各収納溝２１ａ，２１ｂ，２２ａ，２２ｂの構成は同じであるので、ここでは、収納溝２１ｂの構成についてのみ説明する。図３及び図４に示すように、収納溝２１ｂは、前板２１の側面３に面する端部の全長に渡って切り欠くように形成されている。収納溝２１ｂは、受金具１２の幅と同一幅で形成されて受金具１２を固定される固定面３７と、固定面３７の長辺に対して垂直に設けられた垂直面３８とで構成され、前板２１の内側と、前板２１の側板３に面する端部と、前板２１の上下端面に開口している。収納溝２１ｂの深さは、前板２１の端部と側板３を当接させた状態で、受金具１２の溝１２ａにショルダーねじ１４の頭部１４ａを引っ掛けられるように設けられている。このような収納溝２１ｂに対して、受金具１２は、図４に示すように、長手方向端部を垂直面３８に当接させると共に、上端部を固定面３７の図中上端に位置合わせすることにより一義的に位置決めされ、固定ねじ１３により両端部１２ｂ，１２ｃを固定されている。
【００２４】
図４に示すように、底板５の上面には、背板７を固定するための固定溝５ａが、後端（図中右側）と平行に形成されている。底板５の下面には、棒状の位置決め部材１７，１７が、基台４の前板２１と後板２２と梁板２３，２４の内側面に当接して底板５を基台４に対して位置決めするように設けられている。
【００２５】
図４に示すように、背板７は、底板５の固定溝５ａの嵌め合わされる嵌合凸部７ａが、底板５に面する下端部に設けられている。背板７は、側板２，３に面する端部に、受金具１２が溝１２ａを下方に開口させるように固定ねじ１３で固定され、一対の側板２，３の間を下方へスライドさせて底板５に対して垂直に立設されるようになっている。
【００２６】
図５は、背板７の端部を拡大した部分断面図である。尚、図５では、収納凹部３５の構造を分かりやすくするために、薄板３２に貼られる装飾板３３を省略して記載している。
背板７の左右端部に受金具１２を取り付ける構造は、同様なので、ここでは、背板７の右端部（側板３に面する端部）に受金具１２を取り付ける構造についてのみ説明する。
【００２７】
背板７に使用される芯材３１は、幅寸法が受金具１２の幅寸法と同一にされている。一対の薄板３２，３２は、芯材３１の側板３に対向する右端部から右側方（側板３側）へ突出している。一対の薄板３２，３２の突出量は、薄板３２，３２の端部と側板３とを当接させた状態で、受金具１２の溝１２ａにショルダーねじ１４の頭部１４ａを引っ掛けられるように設けられ、書架１の組立後に受金具１２とショルダーねじ１４を前後方向から隠すようにしている。背板７は、芯材３１の側面２，３に面する端部により受金具１２が固定される固定面３７が構成され、一対の薄板３２，３２により固定面３７の長辺に対して垂直に設けられた垂直面３８が構成されている。そして、固定面３７と一対の垂直面３８，３８により、受金具１２の幅と同一幅の収納凹部３５が設けられている。
【００２８】
背板７の上端部には、装飾板３３が固定され、収納凹部３５の開口部を装飾板３３で塞いで受金具１２とショルダーねじ１４が書架１の組立後に外部から見えないようにしている。収納凹部３５は、固定面３７の端であって装飾板３３の内側の位置に補強ブロック３６が接着剤等で固定され、受金具１２にかかる力が装飾板３３に作用しないようにしている。受金具１２は、端部１２ｂが補強ブロック３６に当接し、長手方向両端部が薄板３２，３２に当接することにより背板７に対して一義的に位置決めされ、固定ねじ１３により背板７に固定されている。
【００２９】
図４に示すように、天板６は、天板部６ａの後端部に背面部６ｂを下方へ突出するように固定している。天板部６ａの端部には、受金具１２が溝１２ａの開口部を後方へ向けるように固定され、一対の側板２，３の間に天板６を前側（図中左側）から後側（図中右側）へ挿し込むことにより一対の側板２，３に連結されるようになっている。
【００３０】
図６は、天板６の端部を拡大した部分断面図である。尚、図６では、収納凹部３５の構造を分かりやすくするために、薄板３２に貼られる装飾板３３を省略して記載している。
天板部６ａに使用される芯材３１は、幅寸法が受金具１２の幅寸法と同一にされている。天板部６ａの一対の薄板３２，３２は、芯材３１の側板２に対向する端部と芯材３１の側板３に対向する端部から側方へそれぞれ突出している。一対の薄板３２，３２の突出量は、薄板３２，３２の端部と側板３とを当接させた状態で、受金具１２の溝１２ａにショルダーねじ１４の頭部１４ａを引っ掛けられるように設けられ、書架１の組立後に受金具１２とショルダーねじ１４を上下方向から隠すようにしている。天板部６ａは、芯材３１の側面２，３に面する端部により受金具１２が固定される固定面３７が構成され、一対の薄板３２，３２により固定面３７の長辺に対して垂直に設けられた垂直面３８が構成されている。そして、一対の薄板３２，３２の間には、受金具１２の幅と同一幅の収納凹部３５が設けられている。天板部６ａの前後端部には、装飾板３３が固定され、収納凹部３５の前後開口部を装飾板３３で塞いで受金具１２やショルダーねじ１４が書架１の組立後に見えないようにしている。天板６は、固定面３７の端であって装飾板３３の内側の位置に補強ブロック３６が接着剤等で固定され、受金具１２にかかる力が装飾板３３に作用しないようにしている。
【００３１】
天板６は、一対の側板２，３の間に水平に設置されるように、天板部６ａの収納凹部３５に２個の受金具１２が固定されている。一方の受金具１２は、溝１２ａが後方に開口するように収納凹部３５に配置され、端部１２ｂを収納凹部３５の前側に設けられた補強ブロック３６に当接させると共に長手方向両端部を収納凹部３５の垂直面３８，３８に当接させることにより、天板６に対して一義的に位置決めされ、固定ねじ１３により天板６に固定されている。他方の受金具１２は、端部１２ｃを収納凹部３５の後側に設けられた補強ブロック３６に当接させ、上記一方の受金具１２と同様に天板６に固定されている。
【００３２】
図４に示すように、棚板８は、棚板部８ａの後端部に背面部８ｂを固定し、棚板８に収納される本が書架１の後方へ落ちることを防いでいる。棚板部８ａは、側面２，３に面する端部に係止金具１６がネジ止めされている。係止金具１６には、側板２，３の受け止め具９に対応する位置に係止孔１６ａが形成されている。
【００３３】
図７は、図２のＣＣ断面図である。図８は、一対の側板の外観斜視図である。図９は、図８のＤ部拡大図である。
側板２，３は同一の構成なので、ここでは側板２についてのみ説明する。図７及び図８に示すように、側板２は、一対の受け止め具９が内側の面に平行に固定されている。側板２は、底板５の取付位置と天板６の取付位置との間に形成された取付溝２ａ，２ａに受け止め具９が固定ねじ１１により固定され、受け止め具９が表面に突出していない。側板２は、図８に示すように受け止め具９の掛け止め孔９ａに引っ掛けられた掛け止め爪１０を介して、棚板８を保持する。図９に示すように、掛け止め爪１０は、略Ｓ字形をなし、掛け止め孔９ａと棚板８の係止孔１６ａに着脱自在に引っ掛けられて、一対の側板２の任意の高さに棚板８を簡単に取り付けられるようになっている。
【００３４】
また、図７に示すように、側板２は、基台４と天板６の受金具１２に対応する位置にそれぞれショルダーねじ１４が固定され、背板７に対応する位置に１個のショルダーねじ１４が固定されている。各ショルダーねじ１４は、鍔部１４ｄを側板２の表面に突き当てるまで雄ねじ１４ｃが側板２にねじ込まれ、各受金具１２の溝１２ａと各ショルダーねじ１４の頭部１４ａとの位置関係が一定にされている。
【００３５】
＜組立方法＞
次に、書架１の組立方法について説明する。図１１〜図１５は、書架１の組立説明図である。
図１１に示すように、先ず、一対の側板２，３の下方に設けた各ショルダーねじ１４を基台４に設けた受金具１２の挿入部１２ｄにそれぞれ位置合わせし、基台４を下方へスライドさせる。これにより、各ショルダーねじ１４の頭部１４ａが受金具１２の溝１２ａの内側へ案内されて溝１２ａの両端に引っ掛けられ、抜け不能となる。この結果、図１２に示すように、基台４が一対の側板２，３の間に固定される。
【００３６】
次に、図１３に示すように、底板５を基台４に載せる。底板５は、位置決め部材１７，１７を基台４の内側に当接させるように設置され、基台４及び一対の側板２，３に対して水平方向に位置ずれするのを防止される、そして、一対の側板２，３の上方に設けた各ショルダーねじ１４を天板６に設けた受金具１２の挿入部１２ｄにそれぞれ位置合わせし、天板６を後方へ向かって水平にスライドさせる。これにより、各ショルダーねじ１４の頭部１４ａが受金具１２の溝１２ａの内側へ案内されて溝１２ａの両端に引っ掛けられ、抜け不能となる。この結果、天板６が一対の側板２，３の間に取り付けられる。
【００３７】
次に、図１４に示すように、一対の側板２，３の後方に設けた各ショルダーねじ１４を背板７の両端に設けた受金具１２の挿入部１２ｄにそれぞれ位置合わせし、背板７を下方へスライドさせ、背板７の嵌合凸部７ａを底板５の固定溝５ａに嵌め合わせる。これにより、各ショルダーねじ１４の頭部１４ａが受金具１２の溝１２ａの内側へ案内されて溝１２ａの両端に引っ掛けられ、抜け不能になる。この結果、背板７が一対の側板２，３に固定される。また、背板７は、嵌合凸部７ａが底板５に係合することにより、底板５に対して垂直に固定される。底板５は、背板７と基台４との間で挟み込まれて固定される。
【００３８】
このように、書架１は、工具を用いなくても、基台４、天板６、背板７を一対の側板２，３の間でスライドさせ、受金具１２の溝１２ａにショルダーねじ１４を係合させるだけで、一対の側板２，３に基台４、底板５、天板６、背板７を隙間無く固定し、外枠を簡単に組み立てることができる。書架１の外枠は、一対の側板２，３が、基台４と天板６の天板部６ａに上下を支えられて平行性を確保されると共に、背板７と天板６の背面部６ｂにより左右に傾かないように支えられるので、バランス良く組み立てられる。
【００３９】
書架１は、基台４が底板５に上方を覆われるため、基台４の前板２１と後板２２の内側に露出する受金具１２が外から見えない。また、天板６と背板７の受金具１２と一対の側板２，３のショルダーねじ１４は、一対の薄板３２，３２と装飾板３３に囲われた空間内に納められ、書架１の組立後に外から見えない。よって、書架１は、外部にねじ等の金属を露呈させることなく外枠が組み立てられ、美感が良い。
【００４０】
尚、基台４や天板６、背板７を一対の側板２，３に取り付けるときに、ショルダーねじ１４が受金具１２の溝１２ａの内壁にぶつかることがある。この場合でも、ショルダーねじ１４が受金具１２にぶつかる衝撃が、補強ブロック３６に作用し、装飾板３３に作用しない。そのため、ショルダーねじ１４が受金具１２にぶつかる衝撃で装飾板３３が破損せず、組み立て作業を行いやすい。
【００４１】
上記のように外枠が完成したら、図１５に示すように、棚板８を任意の位置に取り付ける。具体的には、一対の側板２，３に固定した各受け止め具９の任意の掛け止め孔９ａに掛け止め爪１０を引っ掛ける。そして、棚板８の係止金具１６に設けた引っ掛け孔１６ａに掛け止め爪１０を引っ掛ける。これにより、棚板８が、掛け止め爪１０を介して一対の側板２，３に隙間無く取り付けられる。棚板８は、金属板をＳ字形に成形した掛け止め爪１０を用いて一対の側板２，３に引っ掛けるようにして取り付けられるので、一対の側板２，３との間に大きな隙間ができない。以上により、書架１の組立が完了する。
【００４２】
組み立てられた書架１は、一対の側板２，３と基台４又は天板６、背板７、棚板８との間に隙間がなく、バランス良く組み立てられるので、品質が安定し、本を収納してもがたつかない。
【００４３】
＜書架ユニット＞
図１６は、書架ユニットの一例を示す図である。
完成した書架１は、他の書架１の上に積み上げて図示しないボルトで固定することにより、他の書架１とユニット化される。また、書架１は、他の書架１と隣り合わせに配置することによりユニット化することもできる。
尚、書架１は、受け止め具９の掛け止め孔９ａに掛け止め爪１０を引っ掛ければ、棚の高さや数を簡単に調整できる。
また、側板２，３の全高を変えれば、基台４と底板５と天板６と背板７と棚板８を共通で使用し、全高の異なる書架１を作ることができるので、部品の在庫数を減らしてコストを安くできる。
【００４４】
＜作用効果＞
本実施形態の書架１は、基台４を構成する前板２１と後板２２の一対の側板２，３に面する端部に、受金具１２の幅寸法と同一幅に設けられて受金具１２が固定される固定面３７と、固定面３７の長辺に対して垂直に設けられた垂直面３８とからなる収納溝２１ａ，２１ｂ，２２ａ，２２ｂを設けている。また、天板６と背板７の一対の側板２，３に面する端部に、固定面３７と一対の垂直面３８からなる収納凹部３５を設けている。それらの固定面３７の端と垂直面３８とに受金具１２を位置合わせして、基台４と天板６と背板７にそれぞれ受金具１２を固定することにより、受金具１２は、基台４と天板６と背板７に対して一義的に位置決めされる。よって、基台４と天板６と背板７の固定面３７の端と垂直面３８とに受金具１２を位置合わせして基台４と天板６と背板７に固定すれば、誰でも基台４と天板６と背板７の同じ位置に受金具１２を固定することができ、受金具１２の固定位置を統一できる。また、受金具１２の固定位置が統一され、ショルダーねじ１４と受金具１２との位置関係にずれが生じにくいので、一対の側板２，３と基台４又は天板６、背板７との位置合わせを行いやすい。尚、この効果は、書架１の部品を多数の作業者に製造させる場合に、特に有効である。
【００４５】
本実施形態の書架１は、厚さが受金具１２の幅寸法と同一である板状の芯材３１の両面に薄板３２，３２を固定した合成材により、天板６と背板７を構成している。天板６と背板７は、薄板３２，３２が芯材３１の側面２，３に面する端部から側方へそれぞれ突出しており、芯材３１の端部により固定面３７を構成し、薄板３２，３２により垂直面３８を構成している。これにより、垂直面３８の間隔が芯材３１の厚さにより受金具１２の幅に安定するので、受金具１２の長手方向両端部を薄板３２，３２に当接させると共に受金具１２の長手方向端部に対して直交する端部１２ｂ（又は１２ｃ）を固定面３７の端に位置合わせすることにより、受金具１２を天板６、背板７に対してより正確に位置決めして固定することができる。
【００４６】
本実施形態の書架１は、天板６と背板７の一対の側板２，３に面する端部に対して直交する端部に、薄板３２，３２の間に形成された隙間を塞ぐように装飾板３３を取り付けているので、天板６と背板７を一対の側板２，３に固定した場合に、受金具１２が薄板３２，３２と装飾板３３に隠されて外部から見えない。
【００４７】
本実施形態の書架１は、固定面３７の端で装飾板３３より内側の位置に固定した補強ブロック３６に、受金具１２を当接させて、固定面３７に固定することにより、ショルダーねじ１４を受金具１２の溝１２ａに係合させて天板６と背板７を一対の側板２，３に取り付ける場合に発生する力を補強ブロック３６で受けるようにしたので、ショルダーねじ１４を受金具１２に係合させる場合に発生する力で装飾板３３が破壊されることを防止できる。
【００４８】
本実施形態の書架１は、組立られた後、側板２，３に立設したショルダーねじ１４と、天板６と背板７に固定される受金具１２との結合部分が、天板６と背板７の薄板３２と化粧板３３で囲まれた空間に納まり、外から見えない。また、側板２，３のショルダーねじ１４と基台４に固定される受け金具１２との結合部分も、天板６の薄板３２と底板５に隠され、外から見えない。よって、書架１は、あたかもショルダーねじ１４や受け金具１２などの金属部品を用いずに組み立てられたように見え、見栄えが良い。
【００４９】
尚、本発明は、上記実施形態に限定されることなく、色々な応用が可能である。
上記実施形態では、固定面３７に補強ブロック３６を固定したが、装飾板３３が衝撃に耐えうるものであれば、補強ブロック３６を省いても良い。
上記実施形態では、係合部材の一例としてショルダーねじ１４を用いたが、受金具１２の溝１２ａに係合可能なピンを側板２，３に圧入固定しても良い。
【符号の説明】
【００５０】
１  書架
２，３  側板
４  基台（受金具付き架設板の一例）
５  底板（架設板の一例）
６  天板（受金具付き架設板の一例）
７  背板（受金具付き架設板の一例）
８  棚板（架設板の一例）
１２  受金具
１２ａ  溝
１４  ショルダーねじ（係合部材の一例）
３１  芯材
３２  薄板
３３  装飾板
３６  補強ブロック
３７  固定面
３８  垂直面
【図１】
0005448259.tif 000002
【図２】
0005448259.tif 000003
【図３】
0005448259.tif 000004
【図４】
0005448259.tif 000005
【図５】
0005448259.tif 000006
【図６】
0005448259.tif 000007
【図７】
0005448259.tif 000008
【図８】
0005448259.tif 000009
【図９】
0005448259.tif 000010
【図１０】
0005448259.tif 000011
【図１１】
0005448259.tif 000012
【図１２】
0005448259.tif 000013
【図１３】
0005448259.tif 000014
【図１４】
0005448259.tif 000015
【図１５】
0005448259.tif 000016
【図１６】
0005448259.tif 000017
【図１７】
0005448259.tif 000018
【図１８】
0005448259.tif 000019